(57)【要約】【課題】使用者の使い勝手が良くて生産性やコスト性に優れた計量キャップを提供する。【解決手段】本発明の計量キャップ１は、容器に着脱自在に取り付けられるキャップの裏面３ｆに当該裏面３ｆから環状に膨出させて先端４ａが開口する筒状部４を設け、この筒状部４がキャップ１の反転により計量カップＣとしてなり、筒状部４で包囲されたキャップの裏面３ｆに、この裏面３ｆから文字、数字、図形、記号又はこれらの結合が筒状部４に沿って膨出してなる標示部５を設け、この標示部５は、その先端高さｈ1が計量カップＣに計量分の内容物を充填したときの当該内容物の表面高さｈ2に設定されたものである。【選択図】図４
2006327671.tif 000002
【特許請求の範囲】
【請求項１】
容器の注出口又はネックに着脱自在に取り付けられるキャップの裏面に当該裏面から環状に膨出させて先端が開口する筒状部を設け、この筒状部がキャップの反転により計量カップとしてなる計量キャップにおいて、
前記筒状部で包囲されたキャップの裏面に、このキャップの裏面から文字、数字、図形、記号又はこれらの結合が前記筒状部に沿って膨出してなる標示部を設け、この標示部は、その先端高さが前記計量カップに計量分の内容物を充填したときの当該内容物の表面高さに設定されたものであることを特徴とする計量キャップ。
【請求項２】
前記標示部は、前記計量カップにより計量すべき数値を示すものであることを特徴とする請求項１に記載の計量キャップ。
【請求項３】
透明又は半透明な合成樹脂からなる請求項１又は２に記載の計量キャップ。
【発明の詳細な説明】
【技術分野】
【０００１】
本発明は、容器の注出口又はネックに着脱自在に取り付けられるキャップに計量機能を付加した計量キャップに関するものである。
【背景技術】
【０００２】
液体や粉体の洗剤などを充填した容器の注出口又はネックに着脱自在に取り付けられるキャップの裏面に当該裏面から環状に垂下して先端が開口する筒状部を設け、この筒状部がキャップの反転により計量カップとしてなる計量キャップにあっては、計量カップに充填した内容物を視認するため、計量カップの内面（筒状部の内面）内に目盛りを設けることが一般的である。
【０００３】
しかしながら、こうした目盛りは、凹凸の小さい線条からなって視認しにくいため、例えば、この目盛りとして縦リブを用いた技術がある（例えば、特許文献１参照。）。
【特許文献１】実開昭６４−４７６４７号公報
【０００４】
ところが、実際に使用者が内容物を計量するに当たっては、計量キャップをほぼ真下に見ながら容器内の内容物を計量カップに注出することが多いが、この場合、筒状部の内面に設けた縦リブを小さくし過ぎてしまうと筒状部の内面と同化して視認しにくいことがある。
【０００５】
また、目盛りを認識しやすくするための他の技術には、容器に取り付けられるキャップに対して透明な計量カップを別体に成形し、これらを組み合わせた計量キャップがある（例えば、特許文献２参照。）。
【特許文献２】実開平２−８７４５号公報
【０００６】
しかしながら、上記従来技術は計量カップが透明であるため、筒状部に邪魔されること無く側面からの視認が可能であるが、かかる計測目盛りは、筒状部の内面に複数の幅広溝を設け、この溝同士の間を水位線としたものに過ぎず、依然、計量キャップをほぼ真下に見ながらでは容器内の内容物を計量しにくい場合があった。更に、かかる構成の場合は、筒状部の内面に溝を形成するため、成形後の抜きを考慮すると、キャップと計量カップ（量線管）とを個々に成形したのちに組み付ける必要があるため、生産性やコスト性に改良の余地もある。
【発明の開示】
【発明が解決しようとする課題】
【０００７】
本発明の解決すべき課題は、上述した事実認識に鑑みてなされたものであり、使用者の使い勝手が良くて生産性やコスト性に優れた計量キャップを提供することにある。
【課題を解決するための手段】
【０００８】
本発明は、容器の注出口又はネックに着脱自在に取り付けられるキャップの裏面に当該裏面から環状に膨出させて先端が開口する筒状部を設け、この筒状部がキャップの反転により計量カップとしてなる計量キャップにおいて、前記筒状部で包囲されたキャップの裏面に、このキャップの裏面から文字、数字、図形、記号又はこれらの結合が前記筒状部に沿って膨出してなる標示部を設け、この標示部は、その先端高さが前記計量カップに計量分の内容物を充填したときの当該内容物の表面高さに設定されたものであることを特徴とするものである。
【０００９】
更に本発明において、前記標示部は、前記計量カップにより計量すべき数値を示すものであることが好ましい。
【００１０】
加えて本発明における計量キャップは、透明又は半透明な合成樹脂からなるものであることが好ましい。
【発明の効果】
【００１１】
本発明の計量キャップは、その裏面のうち、この裏面から環状に膨出した筒状部で包囲された部分から文字、数字、図形、記号又はこれらの結合を前記筒状部に沿って膨出させて標示部としたことから、計量キャップをほぼ真下に見ながら容器内の内容物を計量カップに注出する場合も、使用者は確実に標示部を認識することができる。しかも、本発明に係る標示部は、その先端高さが計量カップに計量分の内容物を充填したときの当該内容物の表面高さであるから、内容物の表面高さと標示部の先端高さとを対比するだけで、内容物の計量を容易に行うことができる。加えて、本発明に係る標示部は、キャップの裏面から前記筒状部に沿って膨出した形状であるため、成形時においての型抜き等が容易になるから、従来と異なりキャップと計量カップとを一体に成形することができる。
【００１２】
従って本発明によれば、使用者の使い勝手が良くて生産性やコスト性に優れた計量キャップを提供することができる。                                                   
【００１３】
また、本発明において、前記標示部が前記計量カップにより計量すべき数値を示すものとすれば、使用者は視覚的に実際に使用する容量を認識しながらの計量を行うことができる。
【００１４】
更に、本発明に係る計量キャップを、透明又は半透明な合成樹脂からなるものとすれば、計量キャップを目の前にして内容物を計量する場合にも、使用者は計量カップ（筒状部）を透して確実に標示部を認識することができ、しかも、内容物の計量も、計量カップ（筒状部）を透して見える内容物の表面高さと標示部の先端高さとを対比するだけで容易に行うことができる。
【発明を実施するための最良の形態】
【００１５】
以下、図面を参照して、本発明の一形態を詳細に説明する。
【００１６】
図１（ａ）〜（ｃ）はそれぞれ、本発明に係る計量キャップ１を有した合成樹脂製ボトル１０の一形態を示す正面図、平面図及び側面図であり、また、図２（ａ），（ｂ）にはそれぞれ、計量キャップ１をボトル１０から取り外した状態を示す分解正面図と、計量キャップ１をボトル１０から取り外した状態をボトル１０の注出口１１から示す分解斜視図である。
【００１７】
ボトル１０は、合成樹脂からなる広口ボトルであって、注出口１１と、この注出口１１とネック１２を介して繋がるボトル本体１３とからなる。注出口１１は、ボトル本体１３の内部に通じるネック１２の開口に嵌合する筒状体であって、その一端を封止してその内部に凹部１１ａを形成しており、その側壁には、ネック１２を介してボトル本体１３の内部に通じる注出孔１１ｂを有する。これに対し、注出口１１の他端は、その開口端縁に沿って注出孔１１ｂから排出された内容物を案内する樋１１ｃが形成されている。
【００１８】
図３（ａ），（ｂ）はそれぞれ、本形態に係る計量キャップ１をその裏面から示す平面図と、後述の標示部を示す要部斜視図であり、図４（ａ），（ｂ）にそれぞれ、図３（ａ）のＡ−Ａ断面図及びＢ−Ｂ断面図を示す。
【００１９】
計量キャップ１は、透明又は半透明な合成樹脂からなり、容器１０のネック１２に着脱自在に取り付けられるキャップであって、環状に広がる外周壁２とこの外周壁２に繋がりほぼ平坦な頂壁３からなり、外周壁２の裏側には、ネック１２の爪部１２ｎと着脱自在に嵌合する複数の爪部２ｎが形成されている。また、頂壁３の裏面３ｆには、当該裏面３ｆから環状に膨出させた筒状部４が設けられている。この筒状部４は、その先端４ａが開口しており、キャップ１を反転させることによって頂壁３の裏面３ｆを底面として筒状部４の内面４ｆに包囲された空間を形成する計量カップＣとしてなる。
【００２０】
ここで、本形態にあっては、キャップ１の裏面３ｆのうち、この裏面３ｆから膨出した筒状部４で包囲された部分に、この裏面３ｆから筒状部４に沿って膨出してなる標示部５が設けられている。なお、本形態における標示部５は、数字の「５０」を筒状部４に沿って膨出させたものである。また、標示部５には、数字、文字又は記号に限らず、丸や三角などの図形、又は、これらを結合させたものを筒状部４に沿って膨出させることができる。更に、標示部５は、その先端５ｐの高さｈ1が計量カップＣに計量分の内容物を充填したときの当該内容物における表面Ｃfの高さｈ2に設定しておく。
【００２１】
計量キャップ１は、その裏面３ｆのうち、この裏面３ｆから環状に膨出した筒状部４で包囲された部分から文字、数字、図形、記号又はこれらの結合を筒状部４に沿って膨出させて標示部５としたことから、計量キャップ１をほぼ真下に見ながらボトル１０内の内容物を筒状部４と頂壁３とからなる計量カップＣに注出する場合も、使用者は確実に標示部５を認識することができる。しかも、標示部５は、その先端５ｐの高さｈ1が計量カップＣに計量分の内容物を充填したときの当該内容物の表面ｃfの高さｈ2であるから、内容物の表面高さｈ2と標示部５の先端高さｈ1とを対比するだけで、内容物の計量を容易に行うことができる。加えて、標示部５は、キャップ１の裏面３ｆから筒状部４に沿って膨出した形状であるため、成形時においての型抜き等が容易になるから、従来と異なりキャップと計量カップＣとを一体に成形することができる。従って本発明に係る計量キャップ１は、使用者の使い勝手が良くて生産性やコスト性に優れる。                                                   
【００２２】
また、本発明において、標示部５が計量カップＣにより計量すべき数値、例えば、計量数値５０ｍｌであれば、「５０」又は「５０ml」を示すものとすれば、使用者は視覚的に実際に使用する容量を認識しながらの計量を行うことができる。
【００２３】
更に、本形態の計量キャップ１は、透明又は半透明な合成樹脂からなるものであるため、計量キャップ１を目の前にして内容物を計量する場合にも、使用者は確実に計量カップ（筒状部４）Ｃを透して標示部５を認識することができ、しかも、内容物の計量も、計量カップ（筒状部４）Ｃを透して見える内容物の表面高さｈ2と標示部５の先端高さｈ1とを対比するだけで容易に行うことができる。
【００２４】
上述したところは、本発明の一形態を示したに過ぎず、当業者によれば、請求の範囲において、種々の変更を加えることができる。例えば、計量キャップは、爪２ｎ、１２ｎ同士又は凹凸によるアンダーカット嵌合に限らず、一方を環状リブとし他方を爪等の突起とする組み合わせや、ねじ等によりボトル１０に対して着脱可能に取付けることもでき、更に、ボトル１０のネック１２ではなく、注出口１１に取付けることもできる。本発明に係る計量キャップの用途には、洗剤や柔軟剤などに限らず、風邪薬や調味料などを内容物にした容器に採用することができ、その内容物自体も液体に限らず、半固体や粉体であってもよい。
【図面の簡単な説明】
【００２５】
【図１】（ａ）〜（ｃ）はそれぞれ、本発明に係る計量キャップを有した合成樹脂製ボトルの一形態を示す正面図、平面図及び側面図である。
【図２】（ａ），（ｂ）にはそれぞれ、同形態において、計量キャップをボトルから取り外した状態を示す分解正面図と、計量キャップをボトルから取り外した状態をボトルの注出口から示す分解斜視図である。
【図３】（ａ），（ｂ）はそれぞれ、同形態における計量キャップをその裏面から示す平面図と、標示部を示す要部斜視図である。
【図４】（ａ），（ｂ）にそれぞれ、図３（ａ）のＡ−Ａ断面図及びＢ−Ｂ断面図を示す。
【符号の説明】
【００２６】
１    計量キャップ
２    外壁
３    頂壁
４    筒状部
５    標示部
【図１】
2006327671.tif 000003
【図２】
2006327671.tif 000004
【図３】
2006327671.tif 000005
【図４】
2006327671.tif 000006